(57)【要約】【課題】換気口から入り込んだ土、砂等の除去作業が容易にできるようにした路上設置形変圧器装置を提供することにある。【解決手段】変圧器等を外箱２内に収容し、変圧器からの発熱を外部に放散させるための上部換気口２Ｂ1 及び下部換気口２Ｂ2 を外箱の側壁の上下にそれぞれ設ける。両換気口から入り込んだ雨水を外箱外に排出させるための水抜き開口部２Ｂ3 を下部換気口より下部の外箱の側壁に設ける。下部換気口２Ｂ2 と水抜き開口部２Ｂ3 との間の外箱の側壁に、外箱内部を清掃するための清掃作業用開口部２Ｂ4 を設けると共に、清掃作業用開口部に開閉自在の蓋２Ｂ5 を取り付ける。【選択図】図１
2008245494.tif 000002
【特許請求の範囲】
【請求項１】
変圧器等が外箱内に収容され、前記変圧器からの発熱を外部に放散させるための上部換気口及び下部換気口が前記外箱の側壁の上下にそれぞれ設けられ、前記上部換気口及び下部換気口から入り込んだ雨水を外箱外に排出させるための水抜き開口部が下部換気口より下部の外箱の側壁に設けられた路上設置形変圧器装置において、
前記下部換気口と水抜き開口部との間の前記外箱の側壁に、前記外箱内部を清掃するための清掃作業用開口部が設けられると共に、前記清掃作業用開口部に開閉自在の蓋または扉が取り付けられた路上設置形変圧器装置。
【請求項２】
変圧器等が外箱内に収容され、前記変圧器からの発熱を外部に放散させるための上部換気口及び下部換気口が前記外箱の側壁の上下にそれぞれ設けられ、前記上部換気口及び下部換気口から入り込んだ雨水を外箱外に排出させるための水抜き開口部が下部換気口より下部の外箱の側壁に設けられた路上設置形変圧器装置において、
前記下部換気口が外箱内部を清掃するための清掃作業用開口部に形成されると共に、前記清掃作業用開口部に開閉自在の換気用蓋または扉が取り付けられ、
前記換気用蓋または換気用扉は、多数の小穴を有して形成されている路上設置形変圧器装置。
【請求項３】
前記蓋または扉は、多数の小穴を有して形成されている請求項１に記載の路上設置形変圧器装置。
【発明の詳細な説明】
【技術分野】
【０００１】
本発明は、変圧器からの発熱を外部に放散させるための換気口が外箱に設けられ、換気口から入り込んだ雨水を外箱外に排出させるための水抜き開口部が設けられた路上設置形変圧器装置に関するものである。
【背景技術】
【０００２】
従来の路上設置形変圧器装置は、変圧器が開閉器等と共に外箱内に収容されて構成されている。変圧器は、変圧器本体が絶縁油と共に変圧器タンク内に収容されて構成されている。変圧器タンクの所定の側面には、通常放熱器が取り付けられている。外箱には、変圧器からの発熱を効率よく外部に放散させるために、放熱器が取り付けられている側の側壁の上下に適宜の間隔をあけた状態で、上部換気口及び下部換気口がそれぞれ設けられている。
【０００３】
降雨時に上部換気口及び下部換気口から入り込み、外箱内の変圧器タンクの下方に滴り落ちた雨水は、変圧器タンクの下方に設けられた低圧側機器を浸水させる虞があるので、変圧器タンクの下部の周りに設けられたフランジの端部と外箱の側壁との間に圧縮された状態で介在させたパッキンを用いて、変圧器が外箱内に収容されている。そこで、入り込んだ雨水が外箱内に溜まることのなく外箱外に流出されるように、側壁を貫通して横方向に長い長円状に形成された多数の水抜き孔がパッキンの上面に沿って設けられている。このような水抜き孔が設けられた路上設置形変圧器装置は、例えば特許文献１に示されている。
【０００４】
上記特許文献１に示されている路上設置形変圧器装置は、低圧側機器が変圧器タンクの下方に設けられた構成であるが、低圧側機器が変圧器タンクの横方向に設けられた構成に対し、換気口から入り込んだ雨水が外箱内の地中に流出するのを阻止するように水抜き孔が設けられた路上設置形変圧器装置もある。
【特許文献１】特開２００４−１２９４０３号公報（図１）
【発明の開示】
【発明が解決しようとする課題】
【０００５】
上記の路上設置形変圧器装置は、設置される場所の周囲に土、砂等が大量に存在する地域に設置される場合がある。この場合、通行人、風等により巻き上げられた土、砂等が換気口から入り込む。特に土が水抜き穴を埋めるまで放置すると、水抜き穴が機能しなくなる虞があるので、水抜き穴から適宜な方法、例えば細い棒により定期的に掻き出し除去している。水抜き穴は保安面から、余り大きくできないために、土または砂の除去作業が繁雑になるという問題がある。
【０００６】
本発明の目的は、換気口から入り込んだ土、砂等の除去作業が容易にできるようにした路上設置形変圧器装置を提供することにある。
【課題を解決するための手段】
【０００７】
第１の発明は、変圧器等が外箱内に収容され、変圧器からの発熱を外部に放散させるための上部換気口及び下部換気口が外箱の側壁の上下にそれぞれ設けられ、上部換気口及び下部換気口から入り込んだ雨水を外箱外に排出させるための水抜き開口部が下部換気口より下部の外箱の側壁に設けられた路上設置形変圧器装置を対象とし、下部換気口と水抜き開口部との間の外箱の側壁に、外箱内部を清掃するための清掃作業用開口部が設けられると共に、清掃作業用開口部に開閉自在の蓋または扉が取り付けられるようのしたものである。
【０００８】
第２の発明は、変圧器等が外箱内に収容され、変圧器からの発熱を外部に放散させるための上部換気口及び下部換気口が外箱の側壁の上下にそれぞれ設けられ、上部換気口及び下部換気口から入り込んだ雨水を外箱外に排出させるための水抜き開口部が下部換気口より下部の外箱の側壁に設けられた路上設置形変圧器装置を対象とし、下部換気口が外箱内部を清掃するための清掃作業用開口部に形成されると共に、清掃作業用開口部に開閉自在の換気用蓋または扉が取り付けられ、換気用蓋または換気用扉が多数の小穴を有して形成されるようにしたものである。
【０００９】
第３の発明は、第１の発明の蓋または扉が多数の小穴を有して形成されているようにしたものである。
【発明の効果】
【００１０】
以上のように、第１の発明によれば、清掃作業用開口部に開閉自在の蓋または扉を取り付けることにより、清掃手段を外箱内に入り込ませるので、換気口から入り込んだ土、砂等を容易に取り出し除去することができる。
【００１１】
第２の発明によれば、下部換気口を清掃作業用開口部と兼用するように形成すると共に、清掃作業用開口部に多数の小穴を有した開閉自在の換気用蓋を取り付けることにより、清掃手段を外箱内に入り込ませるので、換気口から入り込んだ土、砂等を容易に取り出し除去することができ、また、外箱の構造を簡素化させることができる。
【００１２】
第３の発明によれば、第１の発明の効果に加え、下部換気口からの換気量を拡大させることができる。
【発明を実施するための最良の形態】
【００１３】
図１は本発明に係わる路上設置形変圧器装置の第１の実施形態を示す概略正面図、図２は図１の要部を示す概略図である。この路上設置形変圧器装置は図示するように、矩形状の枠体からなるベース１上に取り付けられた箱形の外箱２内に、高圧側機器収容室２Ａと、変圧器収容室２Ｂと、低圧側機器収容室２Ｃとが仕切られて横方向に並べて配置されている。
【００１４】
高圧側機器収容室２Ａには、高圧側扉２Ａ1 が外箱２の左側面に設けられており、図示しない開閉器、電力ヒューズ等の高圧側機器が収容されている。変圧器収容室２Ｂには、図示しない変圧器が収容されている。
低圧側機器収容室２Ｃには、低圧側扉２Ｃ1 が外箱２の正面右側に設けられており、図示しないブレーカ等の低圧側機器が収容されている。
【００１５】
外箱２の正面中央側（変圧器収容室２Ｂ）には、変圧器からの発熱を効率よく外部に放散させるために、図示しない放熱器が取り付けられている側の側壁の上下に適宜の間隔をあけた状態で、変圧器上部換気口２Ｂ1 及び変圧器下部換気口２Ｂ2 がそれぞれ設けられている。変圧器上部換気口２Ｂ1 及び変圧器下部換気口２Ｂ2 は、例えば、外箱２を貫通した多数の小穴（パンチング穴）を千鳥配置して形成されている。
【００１６】
変圧器下部換気口２Ｂ2 より下部の外箱２の側壁、例えばその下端には、両換気口２Ｂ1 ，２Ｂ2 から入り込んだ雨水を外箱外に排出させるための水抜き開口部２Ｂ3 が設けられている。この水抜き開口部２Ｂ3 は、例えば、深さ寸法が小さなコ字状の切り欠きが上方に向かって２つ形成されている。これらの構成は、背面中央側（変圧器収容室２Ｂ）にも設けられている。
【００１７】
外箱２の正面中央側（変圧器収容室２Ｂ）にはまた、変圧器下部換気口２Ｂ2 と水抜き開口部２Ｂ3 との間に、両方の換気口から入り込んで外箱内部に堆積した土、砂等を取り出し除去するための清掃作業用開口部２Ｂ4 が設けられている。この開口部２Ｂ4 は図１（Ｂ）に示すように、外箱２に形成された矩形状の切り抜き２Ｂ41の周縁に沿って矩形状の枠板からなる蓋取付座２Ｂ42が外箱の裏面に溶接等により取り付けられた構造になっており、切り抜き２Ｂ41は放熱器の下端から外れた領域、すなわち変圧器タンクと外箱の側壁との間に適宜の間隔が確保される領域に形成されている。この蓋取付座２Ｂ42には、清掃作業用開口部２Ｂ4 が開閉自在となるように、外箱２に形成された切り抜き２Ｂ41の大きさと略同寸の矩形状の蓋（カバー）２Ｂ5 が、この切り欠きに填り込んだ状態で、例えば４箇所のねじ止めにより取り付けられている。この蓋２Ｂ5 には、着脱が容易となるように埋込型取手２Ｂ6 が取り付けられている。
【００１８】
土、砂等の取り出し時には、蓋（カバー）２Ｂ5 を取り外し、例えば、吸引式掃除機のホースを清掃作業用開口部２Ｂ4 に突っ込むことにより、土、砂等が容易に除去される。
【００１９】
図３は本発明に係わる路上設置形変圧器装置の第１の実施形態を示す概略正面図、図４は図３の要部を示す概略図である。この路上設置形変圧器装置は図１と同様に、矩形状の枠体からなるベース１′上に取り付けられた箱形の外箱２′内に、高圧側機器収容室２Ａ′と、変圧器収容室２Ｂ′と、低圧側機器収容室２Ｃ′とが仕切られて横方向に並べて配置されている。
【００２０】
外箱２′の正面中央側（変圧器収容室２Ｂ′）には、変圧器からの発熱を効率よく外部に放散させるために、変圧器上部換気口２Ｂ1 ′及び変圧器下部換気口２Ｂ2 ′が設けられている。変圧器上部換気口２Ｂ1 ′は、外箱２′を貫通した多数の小穴（パンチング穴）を千鳥配置して形成されている。
【００２１】
外箱１′の側壁の下端には、両換気口２Ｂ1 ′，２Ｂ2 ′から入り込んだ雨水を外箱外に排出させるための水抜き穴→水抜き開口部２Ｂ3 ′が設けられている。この水抜き開口部２Ｂ3 ′は、コ字状の切り欠きが上方に向かって２つ形成されている。
【００２２】
変圧器下部換気口２Ｂ2 ′は、換気口から入り込んで外箱内部に堆積した土、砂等を取り出し除去するための清掃作業用開口部と兼用されるように形成され、図２（Ｂ）に示すように、外箱２′に形成された矩形状の切り抜き２Ｂ21′の周縁に沿って矩形状の枠板からなる蓋取付座２Ｂ22′が外箱の裏面に溶接等により取り付けられた構造になっており、切り抜き２Ｂ21′はその下端が水抜き開口部２２Ｂ3 ′の近傍の位置となるような領域に形成されている。この蓋取付座２Ｂ22′には、変圧器下部換気口２Ｂ2 ′が開閉自在となるように、外箱２′に形成された切り抜き２Ｂ21′の大きさと略同寸の矩形状の換気用蓋（カバー）２Ｂ5 ′が、この切り欠きに填り込んだ状態で、例えば８箇所のねじ止めにより取り付けられている。この換気用蓋（カバー）２Ｂ5 ′には、着脱が容易となるように埋込型取手２Ｂ6 ′が取り付けられている。
【００２３】
土、砂等の取り出し時には、換気用蓋（カバー）２Ｂ5 ′を取り外し、吸引式掃除機のホースを変圧器下部換気口２Ｂ2 ′に突っ込むことにより、土、砂等が容易に除去される。
【００２４】
上記の各実施形態において、蓋（カバー）２Ｂ5 の代わりに、扉でもよい。また、換気用蓋（カバー）２Ｂ5 ′の代わりに、換気用扉でもよい。
【００２５】
上記の実施形態１において、蓋（カバー）２Ｂ5 または扉に、多数の小穴を形成してもよい。
【図面の簡単な説明】
【００２６】
【図１】本発明に係わる路上設置形変圧器装置の第１の実施形態を示す概略正面図である。
【図２】図１の要部を示す拡大図である。
【図３】本発明に係わる路上設置形変圧器装置の第２の実施形態を示す概略正面図である。
【図４】図３の要部を示す拡大図である。
【符号の説明】
【００２７】
２，２′  外箱
２Ｂ1 ，２Ｂ1 ′  上部換気口
２Ｂ2 ，２Ｂ2 ′  下部換気口
２Ｂ3 ，２Ｂ3 ′  水抜き開口部
２Ｂ4 ，２Ｂ4 ′  清掃作業用開口部
２Ｂ5  蓋または扉
２Ｂ5 ′  換気用蓋または換気用扉
【図１】
2008245494.tif 000003
【図２】
2008245494.tif 000004
【図３】
2008245494.tif 000005
【図４】
2008245494.tif 000006